(57)【要約】【課題】照明装置のランプ交換回数を削減し、ランプ交換時のメンテナンススペースを十分に確保することにある。【解決手段】エレベータかご１の一部を構成する例えば側板３や幅木８などに、直径の小さい冷陰極蛍光ランプを用いた照明装置１０を取り付けることにより、エレベータかごの各構成体の小さいスペースであっても、照明装置を取り付け可能とするエレベータかご内照明装置である。【選択図】    図２
2004203611.tif 000002
【特許請求の範囲】
【請求項１】
エレベータかごの一部を構成する側板と、
この側板の面部に取り付けられ、冷陰極蛍光ランプを内蔵し、かつ、この冷陰極蛍光ランプから発する光をかご内部方向に透過する照明板を設けたランプボックスとを備えたことを特徴とするエレベータかご内照明装置。
【請求項２】
エレベータかごの一部を構成する側板と、
この側板の面部に開けられた開口部と、
前記側板に開けられた開口部に取り付けられ、冷陰極蛍光ランプを内蔵し、かつ、この冷陰極蛍光ランプから発する光をかご内部方向に透過する照明板を設けたランプボックスとを備えたことを特徴とするエレベータかご内照明装置。
【請求項３】
請求項２に記載のエレベータかご内照明装置において、
前記側板の外側に配置される風音防止用の側板カバーを設け、
この前記側板と風音防止用の側板カバーとの間に収めるように前記ランプボックスを取り付けたことを特徴とするエレベータかご内照明装置。
【請求項４】
エレベータかごの一部を構成するかご床と側板との間に、当該側板の面部よりも後退方向に段差を形成するように配置された幅木と、
この幅木の面部に取り付けられ、冷陰極蛍光ランプを内蔵し、かつ、この冷陰極蛍光ランプから発する光をかご内部方向に透過する照明板を設けたランプボックスとを備えたことを特徴とするエレベータかご内照明装置。
【請求項５】
エレベータかごの一部を構成するかご床と側板との間に、当該側板の面部よりも後退方向に段差を形成するように配置された幅木と、
この幅木の面部に開けられた開口部と、
前記幅木に開けられた開口部に取り付けられ、冷陰極蛍光ランプを内蔵し、かつ、この冷陰極蛍光ランプから発する光をかご内部方向に透過する照明板を設けたランプボックスとを備えたことを特徴とするエレベータかご内照明装置。
【請求項６】
請求項５に記載のエレベータかご内照明装置において、
前記幅木の外側に配置される風音防止用の幅木カバーを設け、
この前記幅木と風音防止用の側板カバーとの間に収めるように前記ランプボックスを取り付けたことを特徴とするエレベータかご内照明装置。
【請求項７】
エレベータかごの一部を構成するかご床と側板との間に、当該側板の面部よりも後退方向に段差を形成するように配置された幅木と、
前記側板の下端部から前記幅木の一部を覆うように突出された突き出し部と、
この突き出し部と前記幅木との隙間に配置され、当該隙間からかご内部の方向に光を照射する冷陰極蛍光ランプとを備えたことを特徴とするエレベータかご内照明装置。
【請求項８】
エレベータかごの一部を構成する扉上部と天板との間に配置される幕板と、
この幕板の面部に取り付けられ、冷陰極蛍光ランプを内蔵し、かつ、この冷陰極蛍光ランプから発する光をかご内部方向に透過する照明板を設けたランプボックスとを備えたことを特徴とするエレベータかご内照明装置。
【請求項９】
エレベータかごの一部を構成する扉上部と天板との間に配置される幕板と、
この幕板の面部に開けられた開口部と、
前記幕板に開けられた開口部に取り付けられ、冷陰極蛍光ランプを内蔵し、かつ、この冷陰極蛍光ランプから発する光をかご内部方向に透過する照明板を設けたランプボックスとを備えたことを特徴とするエレベータかご内照明装置。
【請求項１０】
エレベータかごの一部を構成する側板どうしの継ぎ目となる目地と、
この目地の奥部に当該目地裏側から嵌合される着脱可能な点検用部材と、
この点検用部材と目地との隙間に配置される冷陰極蛍光ランプと、
前記隙間に装着され、冷陰極蛍光ランプから発する光を透過する前記目地となる照明部材とを備えたことを特徴とするエレベータかご内照明装置。
【請求項１１】
エレベータかごの一部を構成する側板どうしの継ぎ目となる目地と、
この目地に形成される一方の側板の折り曲げ部に形成された孔と、
前記目地の隙間に嵌合される光を透過する照明部材と、
前記孔の近傍に配置され、光を発する冷陰極蛍光ランプとを備えたことを特徴とするエレベータかご内照明装置。
【請求項１２】
エレベータかごの一部を構成するかご床の一部または全部に設けられ、光を透過する照明板と、
この照明板の下部に配置され、前記照明板方向に光を照射する冷陰極蛍光ランプとを備えたことを特徴とするエレベータかご内照明装置。
【請求項１３】
エレベータかごの一部を構成するかご床に所要形状をなすように設けられた光を透過する断面凸形状の床目地と、
この床目地の凸形状に上側から押圧嵌合する逆凹形状の床目地押え部材と、
前記床目地の下部に配置され、当該床目地の方向に光を照射する冷陰極蛍光ランプとを備えたことを特徴とするエレベータかご内照明装置。
【請求項１４】
請求項１ないし請求項１３の何れか一項に記載のエレベータかご内照明装置において、
前記冷陰極蛍光ランプに替えて、発光ダイオード及び有機エレクトロルミネッセンスのうち何れか一方を用いて光を照射するように構成することを特徴とするエレベータかご内照明装置。
【発明の詳細な説明】
【０００１】
【発明の属する技術分野】
本発明は、エレベータかご内照明装置に関する。
【０００２】
【従来の技術】
エレベータは、図１１に示すように昇降路５１内に昇降可能にエレベータかご５２が配置されている。このエレベータかご５２は、かご床５３、側板５４、天板５５、正面扉５６と、この正面扉５６上部と天板５５との間に配置される幕板５７、かご床５３と側板５４との間に取り付けられる幅木５８とによって構成されている。
【０００３】
このエレベータかご５２は、正面扉５６側をみて左右面側に対応する両側板５４のほぼ中央部縦方向に取付けられる立枠５９と、この両立枠５９の下端部間に横架される下梁６０と、両立枠５９の上端部間に横架される上梁６１とによって支持され、ロープ６２によって吊り下げられている。
【０００４】
このエレベータかご５２は、エレベータかご内を照明するために天板５５等に照明装置６３が取り付けられている。この照明装置６３は、図１２に示すごとく、一般家庭用の蛍光ランプ（熱陰極管）６４と、光照射方向を除いて蛍光ランプ６４を囲むように設けられたランプボックス６５と、光照射方向側に配置され、光を透過する照明板６６とによって構成されている。
【０００５】
ところで、以上のような照明装置６３は、一般的には天板５５に取り付けているが、種々の照明の効用を確保する観点から、エレベータかご内の天板５５以外の個所にも取り付ける要望があるが、このに場合には次のような問題が出てくる。
【０００６】
（１）  一般家庭用の蛍光ランプ（熱陰極管）６４は、その蛍光ランプ自体が大きいだけでなく、蛍光ランプ始動時に過大な電流を必要とすることから、蛍光ランプ６４を点灯する安定器を含めて全体的に大型となる。その結果、照明装置６３の奥行き方向が約１２０ｍｍ以上のスペースを必要とするが、前述するように天板５５以外の個所，例えばエレベータ背面側側板５４に取り付ける場合、その背面側側板５４と昇降路５１の路壁との間の隙間Ｗが１２０ｍｍ以下の時、照明装置６３が取り付けられない場合がある。特に、既に設置済みのエレベータかごをリニューアルする場合に大きな影響を受ける。
【０００７】
（２）  また、蛍光ランプ６４は、照明装置６３をオン・オフを繰り返すだびに寿命が短くなる特性を有している。その理由は、前述するように蛍光ランプ始動時に過大電流を必要とし、この過大電流によって陰極が損傷する為である。その結果、一般家庭用の蛍光ランプ６４は、約１年に一回球切れを起こすが、その都度、保守員がエレベータに出向き、所定時間保守作業のためにエレベータを停止させて蛍光ランプ６４を交換している。
【０００８】
しかし、通常、天板５５以外の個所に照明装置６３を取り付けた場合、メンテナンススペースが確保されていないこと、また蛍光ランプ６４の交換作業に長時間を要することから、エレベータを長時間停止しておかなければならない。
【０００９】
（３）  また、照明装置として、パソコンなどのバックライトに小形の蛍光ランプとして冷陰極蛍光ランプが用いられているが、未だエレベータかごには取り付ける工夫がなされていない。
【００１０】
【発明が解決しようとする課題】
従って、以上のように蛍光ランプ６４を用いた照明装置６３では、エレベータかご内の天板５５以外の個所に取り付ける場合、十分なスペースを存在しないことから取り付けが不可能であったり、取り付けてもメンテナンススペースを確保できないことから、蛍光ランプ６４の交換作業が困難となり、エレベータの停止が長時間にわたる不都合があった。
【００１１】
本発明は以上のような事情にかんがみてなされたもので、エレベータかご内の照明装置の交換回数を削減し、またメンテナンススペースを十分に確保可能にするエレベータかご内照明装置を提供することを目的とする。
【００１２】
【課題を解決するための手段】
上記課題を解決するために、本発明に係るエレベータかご内照明装置は、エレベータかごの一部を構成する側板と、この側板の面部に取り付けられ、冷陰極蛍光ランプを内蔵し、かつ、この冷陰極蛍光ランプから発する光をかご内部方向に透過する照明板を設けたランプボックスとを設けた構成である。
【００１３】
この発明は以上のような構成とすることにより、冷陰極蛍光ランプが従来の一般的な蛍光ランプと比較し、ランプの使用期間が延び、冷陰極蛍光ランプの交換回数を大幅に減らすことができる。しかも、冷陰極蛍光ランプの直径が非常に小さいので、全体にコンパクトに実現でき、従来の一般的な蛍光ランプではスペース的に取り付けられない場所であってもメンテナンススペースを確保しつつ取付けが可能となる。
【００１４】
この冷陰極蛍光ランプは、側板だけでなく、エレベータかごの構成の一部となる幅木、幕板、側板どうしの継ぎ目である目地の比較的少ないスペースを利用して取付けることが可能となり、エレベータかごの意匠的な観点からも種々の光の効用を現出することが可能となる。
【００１５】
【発明の実施の形態】
以下、本発明の実施の形態について図面を参照して説明する。
【００１６】
（実施の形態１）
本発明に係わるエレベータかご内照明装置の実施の形態１について、図１ないし図３を参照して説明する。なお、図１はエレベータかご内の一部を実線で示した図。図２は側板に照明装置を取り付けた場合の断面図である。
【００１７】
このエレベータかご１は、かご床２、かご壁となる側板３、この側板３の上部を塞ぐように設けられるかご天井となる天板４、かご正面側に所定間隔をもって立設される入口柱５、両入口柱５間に配置され、利用者の乗降時に開閉する正面扉６と、この正面扉６上部と天板４との間に取り付けられる幕板７、かご床２と側板３との間に取り付けられる幅木８を有するものである。９は側板３と側板３との継ぎ目となる目地である。通常、エレベータかご１の正面扉６を除く他の面は複数枚の側板３を継ぎ合わせて形成されている。
【００１８】
図２（ａ）はエレベータかご１の一部を構成する側板３に照明装置１０を取り付けた断面図である。
【００１９】
この照明装置１０は、例えば５本の直管型冷陰極蛍光ランプ１１と、これら冷陰極蛍光ランプ１１の両端を支持する支持台（図示せず）と、これら冷陰極蛍光ランプ１１を点灯するための安定器（図示せず）と、光照射側を除いて少なくとも複数の冷陰極蛍光ランプ１１およびそのランプ支持台を囲むように形成された例えば断面ほぼ凹形状のランプボックス１２ａと、このランプボックス１２ａの光照射方向側に配置され、蛍光ランプ１１から発する光を透過する照明板１３と、ランプボックス１２ａ裏面側の複数箇所から突設され、ネジ山が形成されている取付部材１４とによって構成されている。
【００２０】
この照明装置１０の取付けは、予め複数の取付部材１４の取付け寸法関係を考慮して側板３に貫通孔が穿設され、この貫通孔にランプボックス１２ａ裏面側の取付部材１４を挿通し、側板３の反対面から締付部材となるナット１５によりネジ止めし、側板３に取付けるものである。
【００２１】
前記冷陰極蛍光ランプ１１は、少なくとも１ｍｍ〜６ｍｍ程度の直径を有する透光性放電容器と、この放電容器の両端に封止された一対の冷陰極と、放電容器の内面に塗布された蛍光体と、放電容器内に封入された放電媒体とを有し、陰極が加熱されることなく発光するので、照明のオン・オフの回数によって寿命が左右されることがなく、単に発光時間に起因する特性をもっている。また、冷陰極蛍光ランプ１１は、高電圧を印加すると即点灯し、発光までの時間的遅れない特徴をもっている。
【００２２】
前記ランプボックス１２ａは、望ましくはその内側が冷陰極蛍光ランプ１１から照射される光を反射する反射機能をもつ塗料が塗布され、または材料が用いられ、冷陰極蛍光ランプ１１からの光が効率的にエレベータかご１内に照射可能にする。
【００２３】
なお、ランプボックス１２ａ内には、所定の間隔をもって両端側に支持台が配置され、これら両側の支持台によって各冷陰極蛍光ランプ１１が支持されている。また、ランプボックス１２ａ内には例えばインバータ機能の安定器が配置され、この安定器の一端側に複数の冷陰極蛍光ランプ１１の一端が電気的に接続され、安定器の他端側には複数の冷陰極蛍光ランプ１１の他端が電気的に接続されている。この安定器には電力を供給するためのコネクタが接続されている。
【００２４】
従って、以上のような実施の形態によれば、エレベータかご１の側板３に、冷陰極蛍光ランプ１１を用いた照明装置１０を取り付けることにより、従来の一般的な蛍光ランプと比較し、ランプの長寿命化、ひいてはランプの使用期間が延び、冷陰極蛍光ランプ１１の交換回数を減らすことができる。しかも、冷陰極蛍光ランプ１１の直径が非常に小さいので、照明装置１０全体にコンパクトに実現でき、また従来の一般的な蛍光ランプの場合にはスペースの問題から取り付けられない場所であっても取付けが可能となる。
【００２５】
さらに、照明装置１０全体がコンパクトであることから、側板３とランプボックス１２ａとの段差が目立たなくなり、エレベータかごの意匠面からも優れたものとなる。
【００２６】
さらに、エレベータかご内部から照明板１３を取り外すことが可能となり、冷陰極蛍光ランプ１１を簡単に交換することが可能となり、エレベータを停止させずに短時間に冷陰極蛍光ランプ１１を交換することが可能となる。
【００２７】
なお、図２（ａ）はランプボックス１２ａ裏面側に取付部材１４を突設させたが、例えば側板３内側面部にネジ山を形成した取付部材１４が突設され、ランプボックス１２ａの該当個所に貫通孔を形成し、取付部材１４にランプボックス１２ａの貫通孔を挿通した後、ランプボックス１２ａ内からナット１５によりネジ止めし、側板３に取り付ける構成であってもよい。
【００２８】
図２（ｂ）は図２（ａ）と同様にエレベータかご１の一部を構成する側板３に照明装置１０を取り付けた断面図である。
【００２９】
この照明装置１０の側板取付け構成は、先ず、エレベータかご１を構成する側板３には、エレベータかご１内部に照明を取込もうとする面積相当分の広さをもつ開口部１６が穿設されている。
【００３０】
一方、ランプボックス１２ｂは、そのボックス正面部と同一面を維持するようにボックス正面端部から外側に突き出すように取付けつば部１２ｂａが設けられ、この取付けつば部１２ｂａには貫通孔が形成され、またランプボックス１２ｂの各取付けつば部１２ｂａに形成される貫通孔相互の寸法関係を考慮し、側板３の裏面側の複数個所にはネジ山が形成された取付部材１４が突設されている。１５は締付け部材となるナットである。
【００３１】
なお、前記照明装置１０は、図２（ａ）と全く同様であるので、その詳しい説明は同図（ａ）に譲る。
【００３２】
次に、以上のような照明装置１０の取り付け動作について説明する。
【００３３】
予め側板３に光を取込む開口部１６が形成されているので、この開口部１６の裏側から側板３に突設される取付部材１４に向けて、冷陰極蛍光ランプ１１を内蔵するランプボックス１２ｂに設けられた取付けつば部１２ｂａの貫通孔が挿通するように嵌め込んだ後、ナット１５によりネジ止めすることにより、側板３に照明装置１０を取り付ける。
【００３４】
特に、この照明装置１０は、冷陰極蛍光ランプ１１を用いているので、一般の熱陰極蛍光ランプと比較し、コンパクトに取り付けることが可能であり、側板３の裏面から殆んど出っ張らないので、側板３の近くに障害物があるような場合でも照明装置１０の取付けが可能となる。また、ランプボックス１２ｂが省スペースとなっているので、蛍光ランプの交換時のメンテナンススペースを多く確保できる。
【００３５】
また、冷陰極蛍光ランプ１１の直径が非常に小さいことから、冷陰極蛍光ランプ１１とランプを取り付けない側板３とがサイズ的にほぼ同一となるので、同じ出荷方法で出荷することが可能である。さらに、エレベータの仕様の１つとして、風音対策のために側板３の外側に所定の間隔を有して後記する図３に示すごとく側板カバー１７が取り付けられているが、この側板３と側板カバー１７との隙間にランプボックス１２ｂを十分に収めることができ、風音対策をとりつつ照明装置１０を確実に取り付けることができる。
【００３６】
なお、図２（ｂ）は、エレベータかご１を構成する側板３にランプボックス１２ｂを埋め込むような大きさな開口部１６を穿設し、一方、側板３の表面側に取付部材１４を取付け、エレベータかご１の内側からランプボックス１２ｂをネジ止めする構成であってもよい。このような照明装置１０の取付け時には、取付部材１４にランプボックス１２ｂを取り付け、ナット１５にて締め付け固定した後、ナット１５を目隠し部材で隠すようにすれば、意匠的な観点からも優れたものとなる。
【００３７】
（実施の形態２）
次に、本発明に係わるエレベータかご内照明装置の実施の形態２について、図１、図４及び図５を参照して説明する。なお、図１は前述した通りであり、ここでは省略する。図４及び図５は何れもエレベータかごの一部を構成する幅木８に本発明に係わる照明装置を取り付けた場合の断面図である。
【００３８】
このエレベータかご１は、かご床２と側板３との間に断面コ字状の幅木８が配置されるが、このとき例えば側板３と幅木８は平坦面部がかご内部側に面するように断面コ字状の連結部材１８を介して接続されている。
【００３９】
この側板３と幅木８は、側板３よりも幅木８が後退する位置関係をもって配置されている場合、側板３と幅木８との間に段差が形成されている。
【００４０】
図４（ａ）は、側板３と幅木８との段差を利用し、当該幅木８の面部に照明装置１０を取り付けた例である。
【００４１】
この照明装置１０は、例えば３本の直管型冷陰極蛍光ランプ１１と、これら冷陰極蛍光ランプ１１の両端を支持する支持台（図示せず）と、これら冷陰極蛍光ランプ１１を点灯するための安定器（図示せず）と、光照射側を除いて少なくとも複数の冷陰極蛍光ランプ１１およびそのランプ支持台を囲むように形成された例えば断面ほぼ凹形状のランプボックス１２ｃと、このランプボックス１２ｃの光照射方向側に配置され、蛍光ランプ１１から発する光を透過する照明板１３と、ランプボックス１２ｃ裏面側の複数箇所から突設され、ネジ山が形成される取付部材１４とによって構成されている。
【００４２】
一方、幅木８側には、ランプボックス１２ｃ裏面側から突設される複数の取付部材１４の取付け寸法関係を考慮して貫通孔が穿設され、この貫通孔にはランプボックス１２ｃ裏面側の取付部材１４が挿通され、幅木８の裏面側から締付け部材となるナット１５によりネジ止めし、幅木８に照明装置１０を取付ける構成である。
【００４３】
なお、ランプボックス１２ｃは、望ましくはその内側が冷陰極蛍光ランプ１１から照射される光を反射する反射機能をもつ塗料が塗布され、または材料が用いられ、冷陰極蛍光ランプ１１からの光が効率的にエレベータかご１内に照射可能にするものである。
【００４４】
なお、ランプボックス１２ａ内には、所定の間隔をもって両端側に支持台（図示せず）が配置され、これら両側の支持台によって各冷陰極蛍光ランプ１１が支持される。また、ランプボックス１２ａ内には例えばインバータ機能の安定器（図示せず）が配置され、この安定器の一端側に複数の冷陰極蛍光ランプ１１の一端が電気的に接続され、安定器の他端側には複数の冷陰極蛍光ランプ１１の他端が電気的に接続されている。この安定器には電力を供給するためのコネクタが接続されている。
【００４５】
従って、以上のような実施の形態によれば、前述する図２（ａ）と同様の作用効果を奏する他、通常、側板３と幅木８との段差が約１０ｍｍ程度あるが、照明装置１０全体がコンパクトであることから、当該段差の中に確実に取り付けることができる。従って、冷陰極蛍光ランプ１１を用いた照明装置１０を取り付ければ、例えば昇降路やかご支持用立枠を変更することなく、照明装置１０を取り付けることができる。また、照明装置１０が出っ張らずに取付け可能であり、エレベータかごの意匠面からも優れたものとなる。
【００４６】
なお、例えば幅木８面部にネジ山を形成した取付部材１４が突設され、ランプボックス１２ｄの該当個所に貫通孔を形成し、取付部材１４にランプボックス１２ｄの貫通孔を挿通した後、ランプボックス１２ｄ内からナット１５によりネジ止めし、幅木８に取り付ける構成であってもよい。
【００４７】
図４（ｂ）は、同図（ａ）と同様に側板３と幅木８との間の段差を利用し、幅木８に照明装置１０を取り付ける例であるが、同図（ａ）と異なるところは、幅木８の面部にエレベータかご１内部にかご内に照明を取込もうとする面積相当分の広さをもつ開口部１９を穿設する一方、ランプボックス１２ｄの正面部と同一面を維持するようにボックス正面端部から外側に突き出すように取付けつば部１２ｄａが設けられ、この取付けつば部１２ｄａには貫通孔が形成されている。一方、幅木８の裏面側の複数個所にはネジ山を形成した取付部材１４が突設されている。１５は締付け部材となるナットである。
【００４８】
なお、照明装置１０は、図２（ａ）と全く同様であるので、詳しくは図２（ａ）に譲る。
【００４９】
次に、以上のような照明装置１０の取り付け動作について説明する。
【００５０】
幅木８に光を取込む開口部１９が形成されているので、この開口部１９の裏側から幅木８に突設される取付部材１４に向けて、冷陰極蛍光ランプ１１を内蔵するランプボックス１２ｄに設けた取付けつば部１２ｄａの貫通孔を挿通した後、ナット１５によりネジ止めすることにより、幅木８に照明装置１０を取り付けるものである。
【００５１】
従って、以上のような実施の形態によれば、図２（ｂ）と同様の作用効果を奏する他、エレベータの１つの仕様である風音対策を行う場合には図３に示すような幅木８の外側に幅木カバー２０が施こすが、この幅木８と幅木カバー２１との隙間にランプボックス１２ｄを十分に収めることができ、風音対策をとりつつ照明装置１０を確実に取り付けることが可能となる。
【００５２】
なお、図２（ｂ）と同様に、幅木８にランプボックス１２ｄを埋め込むような大きさの開口部を穿設し、一方、幅木８の表面側に取付部材１４を取付け、エレベータかご１の内側からランプボックス１２ｄをネジ止めする構成であってもよい。このような照明装置１０の取付け時には、取付部材１４にランプボックス１２ｄを取り付け、ナット１５にて締め付け固定し、かご内部から照明装置１０を取り付ける。
【００５３】
図５は、側板３と幅木８との段差を利用して照明装置１０を取り付けるもう１つの例である。
【００５４】
すなわち、側板３と幅木８との間に段差が存在する場合、側板３の下端部を幅木８の一部を覆うように突き出すようにすれば、その突き出し部分と幅木８との間に空間部２２を形成することができる。そこで、この空間部２２を利用してランプボックス（図示せず）を埋め込んで冷陰極蛍光ランプ１１を設置するか、或いは側板３と幅木８とを連結する連結部材１８に前記支持台を含んで冷陰極蛍光ランプ１１を取り付ければ、側板３の突き出し部分と幅木８との隙間を有効に利用して照明装置１０を取り付けることができる。
【００５５】
従って、以上のような実施の形態によれば、側板３と幅木８との間の段差が少ない場合でも、スペースを有効に活用して照明装置１０を取り付けることができる。例えば側板３と幅木８との段差が５ｍｍであっても、当該段差の中に冷陰極蛍光ランプ１１を収めることができる。
【００５６】
（実施の形態３）
次に、本発明に係わるエレベータかご内照明装置の実施の形態３について、図１、図６を参照して説明する。なお、図１は前述した通りであり、ここでは省略する。図６はエレベータかごの一部を構成する幕板７に本発明に係わるエレベータかご内照明装置を取り付けた場合の断面図である。
【００５７】
エレベータかご１は、図示点線で示す正面扉６上部と天板４の間に幕板７が配置されるが、この幕板７は利用客の乗降方向，奥行き方向にある幅をもって形成されている。
【００５８】
そこで、図６（ａ）では、当該幕板７の底面部を利用し、冷陰極蛍光ランプ１１を用いた照明装置１０を取り付けるものである。
【００５９】
具体的には、照明装置１０は、所要本数の直管型冷陰極蛍光ランプ１１と、これら冷陰極蛍光ランプ１１の両端を支持する支持台（図示せず）と、これら冷陰極蛍光ランプ１１を点灯するための安定器（図示せず）と、光照射側を除いて少なくとも複数の冷陰極蛍光ランプ１１およびそのランプ支持台を囲むように形成された例えば断面ほぼ凹形状のランプボックス１２ｆと、このランプボックス１２ｆの光照射方向側に配置され、蛍光ランプ１１から発する光を透過する照明板１３と、ランプボックス１２ｆ裏面側の複数箇所から突設され、ネジ山が形成される取付部材１４とによって構成されている。
【００６０】
この照明装置１０の取付けは、予め複数の取付部材１４の取付け寸法関係を考慮して幕板７に貫通孔を穿設し、この貫通孔にランプボックス１２ｆ裏面側の取付部材１４を挿通し、幕板７の裏側から締付け部材となるナット１５によりネジ止めし、幕板７に取付ける。
【００６１】
この実施の形態によれば、図２（ａ）と同様の作用効果を奏する他、冷陰極蛍光ランプ１１を用いた照明装置１０を非常にコンパクトに実現できるので、幕板７下面部にそれほど取付スペースがなくても、また従来取り付けられないスペースであっても、照明装置１０の取付けが可能となる。
【００６２】
図６（ｂ）は幕板７に照明装置１１を取り付ける点で同図（ａ）と同様であるが、特に異なるところは、幕板７の下面部にエレベータかご１内部に照明を取込もうとする面積相当分の広さをもつ開口部２３を穿設する一方、ランプボックス１２ｇの正面部と同一面を維持するようにボックス正面端部から外側に突き出すように取付けつば部１２ｇａが設けられ、この取付けつば部１２ｇａには貫通孔が形成されている。一方、幕板７の裏面側の複数個所にはネジ山を形成した取付部材１４が突設されている。１５は締付け部材となるナットである。
【００６３】
なお、照明装置１０は、図２と全く同様であるので、その詳しい説明は図２に譲る。
【００６４】
従って、この実施の形態によれば、幕板７に開けられた開口部２３の裏側から当該幕板７に突設される取付部材１４に向けて、冷陰極蛍光ランプ１１を内蔵するランプボックス１２ｇに設けられた取付けつば部１２ｇａの貫通孔が挿通するように嵌め込んだ後、ナット１５によりネジ止めすることにより、幕板７に照明装置１０を取り付けることが可能である。
【００６５】
従って、以上のような実施の形態によれば、この照明装置１０は、冷陰極蛍光ランプ１１を用いているので、一般の熱陰極蛍光ランプと比較し、コンパクトに取り付けることが可能であり、幕板７の裏面から殆んど出っ張らないので、幕板７の近くに障害物があるような場合でも取付可能となる。また、ランプボックス１２ｇが省スペースとなるので、蛍光ランプの交換時のメンテナンススペースを多く確保できる。
【００６６】
（実施の形態４）
次に、本発明に係わるエレベータかご内照明装置の実施の形態４について、図１、図７を参照して説明する。なお、図１は前述した通りであり、ここでは省略する。図７は側板３と隣接する側板３との継ぎ目となる目地９を利用し、照明装置１０を取り付ける例である。
【００６７】
図７（ａ）は目地９に照明装置１０を取り付ける一つの例を示す図である。このエレベータかご内照明装置は、相隣接する２つの側板３の折り曲げ部により形成される目地９の隙間或いは意図的に多少の隙間を設けた目地９の奥部に裏側から点検用ブラケット３１を嵌め込むとともに、このこの点検用ブラケット３１と目地９との間に支持台を含む冷陰極蛍光ランプ１１を取付け、表面目地９を目張りするように表面側から冷陰極蛍光ランプ１１から発する光を透過する照明部材３２ａを嵌め込んだ構成である。
【００６８】
従って、以上のような実施の形態によれば、前述する図２（ａ）及び図２（ｂ）と同様の作用効果を奏する他、狭い目地９を有効に利用して冷陰極蛍光ランプ１１を取付けることが可能である。特に、相隣接する２つの側板３の折り曲げ部により形成される表面目地９に対し、予めボックス状となる照明装置１０を組込んでおけば、現地で簡単に目地９に照明装置１０を取り付けることが可能である。また、相隣接する２つの側板３の継ぎ目である表面目地９を有効に利用し、エレベータかご１内を照明することができ、さらに照明部材３２ａに所要とする色を施すことにより、審美的な照明を現出でき、意匠的な効果を高めることができる。
【００６９】
図７（ｂ）は目地９に照明装置１０を取り付ける他の例を示す図である。このエレベータかご内照明装置は、相隣接する２つの側板３の折り曲げ部の一方に光を通す孔３３を形成するとともに、目地９の隙間に光を透過する照明部材３２ｂを埋め込む。そして、孔３３の近くに冷陰極蛍光ランプ１１を用いた照明装置１０を配置し、冷陰極蛍光ランプ１１から発する光が孔３３を通り、照明部材３２ｂから間接光として出力する構成である。
【００７０】
この実施の形態によれば、前述する図２（ａ）及び図２（ｂ）と同様の作用効果を奏する他、側板３の折り曲げ部に形成された孔３３の近傍に冷陰極蛍光ランプ１１を配置するので、冷陰極蛍光ランプ１１からの光が照明板１３を通って目地９から出力させることができ、図７（ａ）とは異なる意匠的な効果を現出させることができる。
【００７１】
（実施の形態５）
本発明に係わるエレベータかご内照明装置の実施の形態５について、図１、図８ないし図１０を参照して説明する。なお、図１は前述した通りであり、ここでは省略する。
【００７２】
図８はエレベータかごの一部を構成するかご床２に照明装置１０を取り付ける例を示す図である。
【００７３】
このエレベータかご内照明装置は、かご床２の全部或いは一部に光を透過する照明床２ａを敷設するとともに、照明床２ａの下部側に複数のコ字状部材３６を介して照明取付板３７が取り付けられ、この照明取付板３７に図２（ａ）または同図（ｂ）に示す照明装置１０を設置すれば、冷陰極蛍光ランプ１１から発する光が照明床２ａを通り、かご内部を照明する構成である。
【００７４】
このような実施の形態によれば、前述する図２（ａ）及び図２（ｂ）と同様の作用効果を奏する他、かご床下部の少ないスペースを利用してかご床２からエレベータかご内を照明することができる。また、かご床２を床照明とすることにより、かご床２の重量を軽くすることが可能である。
【００７５】
図９及び図１０は同じくかご床２に照明装置１０を取り付ける他の例を示す図である。図９はかご床の面部を示す図、図１０は図９のかご床の断面図である。
【００７６】
このかご床２は、当該かご床２の面部に直線状となるように光を透過する断面凸形状の床目地３８を敷設するとともに、この床目地３８の凸形状部分に上側から押さえ込むように２つ逆凹形状の床目地押え部材３９が設けられている。この２つの目地押え部材３９の裏面側にはそれぞれネジ山を形成した複数の取付部材４０が突設され、それぞれ中間ブロック４１を介して床基礎板４２に貫通し、この床基礎板４２の裏側から締付部材であるナット４３にて締付け、床目地３８が抜け出ないような構成となっている。そして、床目地３８と対をなす２つの中間ブロック４１と床基礎板４２とで形成される空間部分に冷陰極蛍光ランプ１１を用いた照明装置１０が収納されている。
【００７７】
従って、以上のような実施の形態によれば、図２（ａ）、図２（ｂ）と同様の作用効果を奏する他、冷陰極蛍光ランプ１１を用いた照明装置１０をコンパクトに実現できるので、比較的細い床目地３８の裏でも照明装置１０を取り付けることができ、またかご床２の意匠的な効用も期待することができる。
【００７８】
なお、本願発明は、上記実施の形態に限定されるものでなく、その要旨を逸脱しない範囲で種々変形して実施できる。図１はエレベータかご１の１つの形態例を示したものであり、ユーザ等の要望によって種々の形態のエレベータかごが存在するが、これら全ての形態のエレベータかご１に適用できるものである。また、各図にそれぞれ所要の方向で冷陰極蛍光ランプ１１が配置されているが、特に配置方向は限定されるものではない。
【００７９】
上記実施の形態では、照明装置１０に冷陰極蛍光ランプ１１を用いた例を説明したが、当該冷陰極蛍光ランプ１１に替えて、例えばＬＥＤ（発光ダイオード）や有機ＥＬ（エレクトロルミネッセンス）等の素子を用いて光を照射するように構成してもよい。この照明装置１０としてのＬＥＤや有機ＥＬ等の素子は、棒状（蛍光ランプ）、リング状（サークライン）或いは二次元平面状に配列し、照明装置１０を構成する。なお、１個のＬＥＤや有機ＥＬ等の素子を用いて、棒状、リング状或いは二次元平面状に構成することも可能である。また、照明装置１０の一部を構成するランプボックス等内には、ＬＥＤのみを組み込む場合であっても、有機ＥＬのみを組み込む場合であっても、或いは冷陰極蛍光ランプ１１とＥＬＤと有機ＥＬとを適宜に組み合わせて構成することもできる。
【００８０】
さらに、ＥＬＤや有機ＥＬは白色のものを用いる場合のほか、周囲環境、光量、使用時間帯、使用季節等に応じて他の色のものを用いることも可能であり、また複数の色のＬＥＤや有機ＥＬを混在させることも可能である。また、ＬＥＤや有機ＥＬ等の素子を発光させるために、従来一般に使用されている駆動制御装置を用いることは言うまでもない。
【００８１】
さらに、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００８２】
【発明の効果】
以上説明したように本発明によれば、エレベータかご内に設置される照明装置のランプ交換回数を削減でき、またエレベータかごの一部を構成する構成体の少ないスペースを利用して照明装置を取付けでき、冷陰極蛍光ランプ交換時のメンテナンススペースを十分に確保できるエレベータかご内照明装置を提供できる。
【図面の簡単な説明】
【図１】本発明に係るエレベータかご内照明装置を適用するエレベータかご内部を示す構成図。
【図２】図１に示す側板に照明装置を取り付けた場合の断面図。
【図３】図１に示す側板及び幅木の外側に風音防止手段を施した場合の照明装置の取り付け状態を説明する図。
【図４】図１に示す幅木に照明装置を取り付けた場合の断面図。
【図５】図１に示す幅木に照明装置を取り付けた場合の断面図。
【図６】図１に示す幕板に照明装置を取り付けた場合の断面図。
【図７】図１に示す２つの側板の継ぎ目である目地に照明装置を取り付けた場合の断面図。
【図８】図１に示すかご床に照明装置を取り付けた場合の断面図。
【図９】同じくかご床に照明装置を取り付けた場合のかご床面部を示す図。
【図１０】図１０に示すかご床の断面図。
【図１１】エレベータの概略構成を説明する図。
【図１２】従来の照明装置を説明する断面図。
【符号の説明】
１…エレベータかご
２…かご床（２ａ：照明床）
３…側板
４…天板
５…入口柱
６…正面扉
７…幕板
８…幅木
９…目地
１０…照明装置
１１…冷陰極蛍光ランプ（ＬＥＤ、有機ＥＬ）
１２ａ〜１２ｆ…ランプボックス
１３…照明板
１４…取付部材
１６，１９…開口部
１７…側板カバー
２１…幅木カバー
３２ａ，３２ｂ…照明部材
３８…床目地
３９…床目地押え部材
【図１】
2004203611.tif 000003
【図２】
2004203611.tif 000004
【図３】
2004203611.tif 000005
【図４】
2004203611.tif 000006
【図５】
2004203611.tif 000007
【図６】
2004203611.tif 000008
【図７】
2004203611.tif 000009
【図８】
2004203611.tif 000010
【図９】
2004203611.tif 000011
【図１０】
2004203611.tif 000012
【図１１】
2004203611.tif 000013
【図１２】
2004203611.tif 000014